【事件の表示】
　特許第３１２５７９８号「熱安定性及び長期貯蔵時の耐変色性に優れたブロック共重合体組成物」の請求項１に係る特許に対する特許異議の申立てについて、次のとおり決定する。
【結　論】
　特許第３１２５７９８号の請求項１に係る特許を維持する。
【理　由】
（１）手続の経緯
　本件特許第３１２５７９８号は、平成３年１月３０日に出願され、平成１２年１１月２日にその特許の設定登録がなされ、その後、粟井良吉より特許異議の申立てがなされ、取消理由通知がなされ、それに対し特許異議意見書が提出されたものである。
（２）本件発明
　本件特許３１２５７９８号の請求項１に係る発明（以下、「本件発明」という。）は、特許明細書の記載からみて、その特許請求の範囲の請求項１に記載された事項により特定される次のとおりのものと認める。
「【請求項１】（ａ）一般式；
（Ａ−Ｂ）n 、（Ａ−Ｂ）n Ａ、（Ａ−Ｂ）n Ｘ
（式中、Ａはモノアルケニル芳香族化合物を主とする重合体ブロックであり、Ｂは共役ジエン化合物を主とする重合体ブロックであり、
Ｘは四塩化ケイ素、四塩化スズ、ビスフェノール型エポキシ化合物、エポキシ大豆油、ポリハロゲン化炭化水素、カルボン酸エステルなどのカッブリング剤の残基又は多官能有機リチウム化合物の残基を示す。ｎは１以上の整数である。）で示されるブロック共重合体であって、
該ブロック共重合体中の全モノアルケニル芳香族化合物含有量が５〜６０重量％であり、該ブロック共重合体の数平均分子量が２０，０００〜８００，０００であるブロック共重合体１００重量部、
（ｂ）下記一般式〔I〕で示されるフェノール系化合物である安定剤０．００５〜０．２重合部
【化１】
　　　　　　・・・〔I〕
（式中、Ｒ１及びＲ３は−ＣＨ２−Ｓ−Ｒ５であり、Ｒ５は炭素原子数１〜１８のアルキル基を表す。Ｒ２は水素原子又はメチル基を表す。Ｒ４は炭素原子数１〜８のアルキル基又は炭素原子数５〜１２のシクロアルキル基を表す。）
（ｃ）下記一般式〔II〕，〔III〕で示されるフェノール系化合物から選ばれる少なくとも１種の安定剤０．０５〜２．０重量部
【化２】
　　　　　　・・・〔II〕
又は、
　　　　　　・・・〔III〕
（上式において、Ｒ６は炭素原子数１〜１８のアルキル基であり、Ｒ７はｔｅｒｔ−ブチル基又はｔｅｒｔ−アミル基又はシクロヘキシル基であり、Ｒ８、Ｒ９、Ｒ１０及びＲ１１は同一又は異なり、そして各々、水素原子又は炭素原子数１〜１８のアルキル基を示す。）からなることを特徴とする、熱安定性及び長期貯蔵時の耐変色性に優れたブロック共重合体組成物。」
（３）特許異議申立理由の概要
　特許異議申立人は、甲第１号証（特開昭６３−１７９９５３号公報）及び甲第２号証（特開昭６２−１１４９５５号公報）を提出し、本件発明は、甲第１〜２号証に記載された発明に基づいて当業者が容易に発明をすることができたものであるから、本件特許は特許法第２９条第２項の規定に違反してされたものであり、また、本件特許明細書の記載に不備があり、特許法第３６条第４項の規定に違反して特許されたものであるとして、取り消されるべき旨主張している。
（４）引用刊行物に記載された事項
　当審が通知した取消理由に引用された刊行物１（特開昭６３−１７９９５３号公報、上記甲第１号証）及び刊行物２（特開昭６２−１１４９５５号公報、上記甲第２号証）には、次のとおりの記載が認められる。
ａ、刊行物１
　特許請求の範囲には、「有機リチウム化合物を開始剤として共役ジエン及び／又はビニル芳香族炭化水素を重合せしめて得られた重合体に
（I）無機酸及び／又は有機酸の１種又は２種以上を重合体の開始剤として使用した有機リチウム化合物に対して0.05〜5当量
（II）下記一般式〔I〕、〔II〕及び〔III〕で示されるフェノール系化合物から選ばれる少なくとも１種を重合体100重量部に対して0.05〜5重量部
〔I〕
〔II〕
〔III〕
（上式において、Ｒ１は炭素数１〜４のアルキル基、Ｒ２は炭素数２〜４のアルケニル基、Ｒ３はtert−ブチル基又はシクロヘキシル基、Ｒ４は水素又は炭素数１〜１８のアルキル基を示す。）
配合したことを特徴とする重合体組成物。」が記載され、第１頁右下欄下から9〜8行には、「本発明は、色調、透明性及び耐変色性に優れた重合体組成物に関する。」と記載され、第６頁左下欄16行〜同右下欄1行には、「（II）少なくとも１個のビニル芳香族炭化水素を主体とする重合体ブロックと少なくとも１個の共役ジエンを主体とする重合体ブロックを有し、ビニル芳香族炭化水素と共役ジエンとの重量比が10／90以上、60／40未満であるブロック共重合体エラストマー」と記載され、同じく右下欄8〜11行には、「ブロック共重合体エラストマーは耐衝撃性の改良剤として利用でき、一般に数平均分子量が20,000〜250,000、好ましくは40,000〜200,000のものが使用できる。」と記載されている。
ｂ、刊行物２
　特許請求の範囲の請求項１には、「（１）次式I：
（I）
（式中、
　Ｒ１は炭素原子数１ないし８のアルキル基又は炭素原子数５ないし１２のシクロアルキル基を表わし、
　二つの基Ｒ２は、それぞれ互いに独立して、未置換又は１若しくは２個のヒドロキシル基、又は−ＯＣＯ−Ｒ４，−ＣＯ−ＯＲ５又は−ＣＯ−ＮＲ５Ｒ６によって置換された炭素原子数１ないし１８のアルキル基を表わすか、又はそれらのフェニル基又はベンジル基を表わし、
Ｒ３は水素原子又はメチル基を表わすが、ただしＲ１がメチル基以外の基を表わすときＲ３はメチル基を表わし、
Ｒ４は炭素原子数１ないし１７のアルキル基、炭素原子数２ないし８のアルケニル基又は次式Iａ：（省略）で表わされる基を表わし、
………）で表わされる化合物の少なくとも一つと弾性体又は粘着付与性樹脂を含む組成物。」が記載され、第４頁左上欄9〜11行に、「熱、酸化又は光誘起崩壊に敏感な材料のための効果的な安定剤に対する必要性が依然存在している。」と記載され、第６頁右上欄13〜19行には、「本発明の組成物が弾性体として含有することができる物質の例は：
１　ポリジエン、例えばポリブタジエン、……；ブロックポリマー、例えばスチレン／ブタジエン／スチレン、……共重合体。」と記載され、同右下欄15〜18行には、「本発明の組成物は式Iで表わされる安定剤を弾性体に基づいて0.01ないし10重量％、好ましくは0.05ないし5.0重量％含有することが好都合である。」と記載され、第１１頁右下欄12〜14行には、「実務では、弾性体又は粘着付与性樹脂と式Iのフェノールとを含む本発明の組成物は、また、他の添加剤を含んでもよい。」と記載されている。
（５）対比・判断
　本件発明と刊行物１に記載の発明とを対比する。
　刊行物１に記載の（II）のフェノール系化合物は本件発明（ｃ）の一般式〔II〕及び〔III〕で示されるフェノール系化合物に相当する化合物からなる安定剤（以下、「（ｃ）安定剤」という。）と認められるので、両者は、特定のブロック共重合体と特定量の（ｃ）安定剤からなるブロック共重合体組成物である点で一致し、本件発明では、さらに特定された一般式〔I〕のフェノール系化合物からなる安定剤（以下、「（ｂ）安定剤」という。）を特定量併用するのに対し、刊行物１では、無機酸及び／又は有機酸の１種又は２種以上を特定量併用するものである点で相違するものと認める。
　そこで、上記相違点について検討する。
　刊行物２には、本件発明で特定する（ｂ）安定剤が記載され、ポリブタジエン系のブロック共重合体の安定剤とすることも記載されている。
　しかしながら、刊行物２では、併用し得る他の安定剤としては通常のものが記載されるに過ぎず、本件発明で特定する（ｃ）安定剤についての記載はない。
　一方、刊行物１について見れば、（ｂ）安定剤については示唆されておらず、また、（ｃ）安定剤単独ないしは他の安定剤との併用、即ち、無機酸及び／又は有機酸なしでは、色調及び耐変色性が劣ることが示されているのであるから、刊行物１の記載からは、無機酸及び／又は有機酸に換えて、他の安定剤との組合せを予測することも困難であり、刊行物１の（ｃ）安定剤と、刊行物２の（ｂ）安定剤の組み合わせを容易とすることはできない。
　そして、本件発明では（ｂ）及び（ｃ）安定剤の組合せによって、熱安定性及び長期貯蔵時の耐変色性に優れるという格別な作用効果を奏するものと認められる。
　よって、本件発明は、刊行物１及び２に記載された発明に基づいて当業者が容易に発明をすることができたものとすることはできない。
　なお、特許異議申立人は、本件明細書の記載不備として、本件発明の実施例にはブロック共重合体の数平均分子量についての記載がなく、当業者が容易に実施できる程度に発明の構成が記載されていないと主張する点については、本件明細書には、段落【0035】において、ブロック共重合体ＡのＭＩ（Ｇ）が３ｇ／10分と記載され、段落【0038】では、ブロック共重合体ＢのＭＩ（Ｇ）が８ｇ／10分と記載されており、また、特許異議意見書において、実施例に記載のブロック共重合体Ａ及びＢが、追試によって、本件発明の数平均分子量の範囲内であることが確認されており、さらに、刊行物１に記載のブロック共重合体と本件発明のブロック共重合体がほぼ一致した数平均分子量を有していることから見ても、実施例に記載の製造方法によって、当業者であれば、本件発明で特定する数平均分子量のブロック共重合体を得ることは容易なものと認められるので、特許異議申立人の主張は採用できない。
　よって、結論のとおり決定する。
【異議決定日】
平成１３年１２月１４日（２００１．１２．１４）